(57)【要約】【課題】通風部の開閉操作時における部品同士の接触を回避して、使用者等にとって不快な干渉音を低減することができる通風レジスター装置を提供する。【解決手段】本体１０の通風部を開閉する開閉板の開閉動作を操作するための操作機構１３におけるスライド板１７の往復移動範囲Ｚは、本体１０の平坦面１４ａに配設された一対のスライド動作緩衝材３８（第１の緩衝材）によって規制され、その往復移動範囲Ｚによって操作ツマミ２７の往復移動及びカムフォロワの往復移動も規制される。また、スライド溝にはスライド板１７の往復移動範囲Ｚに対応する操作ツマミ２７の往復移動範囲の外側にスライド溝延長領域（第１の溝延長領域）が形成され、カム溝には、スライド板１７の往復移動範囲Ｚに対応するカムフォロワの往復移動範囲の外側にカム溝延長領域（第２の溝延長領域）が形成されている。【選択図】図４
2014214434.tif 000002
【特許請求の範囲】
【請求項１】
平坦面を有する主壁部と該主壁部に形成された通風部を有する本体と、
該本体に設けられた支持部に旋回可能に支持されて前記通風部を開閉する開閉板と、
該開閉板の開閉動作を操作するための操作機構を有し、該操作機構は、
前記本体の前記主壁部にその長手方向に沿って形成されたスライド溝と、該スライド溝に沿って往復移動可能であり、かつ、前記本体の前記主壁部の前記平坦面を摺動するスライド板と、該スライド板に装着され、かつ、前記スライド溝を介して前記本体の前記主壁部から突出する操作ツマミと、前記スライド板に一体に設けられ、かつ、前記開閉板の先端部の旋回軌跡に沿って湾曲するように形成されるとともに、前記スライド板の往復移動に伴って前記本体の長手方向に沿って往復移動するカム部と、前記開閉板の前記先端部に取り付けられ、かつ、前記カム部の往復移動に伴って該カム部のカム溝を往復移動して前記開閉板を開閉させるカムフォロワを備えてなる、通風レジスター装置において、
前記本体には、前記スライド板の往復移動範囲を規制する第１の緩衝材が配設され、前記スライド溝には、前記第１の緩衝材によって規制された前記スライド板の往復移動範囲に対応する前記操作ツマミの往復移動範囲の外側に第１の溝延長領域が形成され、前記カム溝には、前記第１の緩衝材によって規制された前記スライド板の往復移動範囲に対応する前記カムフォロワの往復移動範囲の外側に第２の溝延長領域が形成されていることを特徴とする通風レジスター装置。
【請求項２】
前記本体は、前記主壁部の長手方向の両端縁を折り曲げて互いに対向するように形成された一対の側壁部をさらに有し、前記支持部が前記側壁部の一方の近傍に配設されており、該一方の側壁部には、該一方の側壁部と該一方の側壁部の近傍で旋回する前記開閉板の基部との接触を規制する第２の緩衝材が配設されていることを特徴とする請求項１記載の通風レジスター装置。
【請求項３】
前記操作ツマミ及び／又は該操作ツマミに装着される部品は、前記操作ツマミがその往復移動範囲の両端に移動した際に、前記スライド溝の前記第１の溝延長領域を覆うように構成されていることを特徴とする請求項１又は請求項２に記載の通風レジスター装置。
【発明の詳細な説明】
【技術分野】
【０００１】
本発明は、ドアやドア枠などに取り付けられ、室内の換気を行うための通風レジスター装置に関するものである。
【背景技術】
【０００２】
通風レジスター装置としては、例えば、特許文献１及び２に開示されているような、スライド操作を、開閉板の旋回動作に変換させることで通風部を開閉させるタイプのものが知られている。
【０００３】
特許文献１に開示された換気装置は、特許文献１の図１及び図２に示されるように、本体１０に設けられた換気口１５と、この換気口１５を開閉する換気板３０と、この換気板３０を開閉させるための操作機構を備えた通風レジスター装置である。この操作機構の操作部材６０のつまみ部６２を、スライド部６３に沿って、例えば、図３の右方向（図４の左方向）にスライドさせると、その操作部材６０に、連結部材４０を介して連結したカム部材５０も同一の方向に移動する。その際、例えば、図５（Ａ）乃至図５（Ｃ）に示すように、カム部材５０のカム溝５５に沿って換気板３０のカムフォロワ３３が案内されることで、この換気板３０が「閉」から「開」の状態へ移行できるように構成されている。
【０００４】
特許文献２に開示された換気装置は、その図１乃至図３に示されるように、本体１１に設けられた換気口１１ｄと、この換気口１１ｄを開閉する開閉作動板１３と、この開閉作動板１３を開閉させるための操作機構を備えた通風レジスター装置である。この操作機構のスライド板１６の操作つまみ１６ｄを、長孔１１ｅに沿って、例えば下位置から上方向にスライドさせると、そのスライド板１６に一体に形成された溝カム１７が上方向に移動する。その際に、例えば図５に示す溝カム１７の溝１７ａに沿って開閉作動板１３のカムフォロワ１７ｄが案内されることで、この開閉作動板１３が「閉」から「開」の状態へ移行できるように構成されている。
【先行技術文献】
【特許文献】
【０００５】
【特許文献１】実開平０６−７６５９１号公報
【特許文献２】特開２００２−１６８５０８号公報
【発明の概要】
【発明が解決しようとする課題】
【０００６】
しかし、特許文献１及び２に開示された従来の通風レジスター装置においては、いずれも、溝や長孔内をスライドする移動部品の往復移動範囲がその溝や長孔の両端部間の距離によって決定・制限されるため、その両端部では、当該移動部品が当該両端部に当接する構造となっている。そして、前記移動部品が前記両端部に当接する際には、当接音（干渉音）等が発生する場合がある。
例えば、特許文献２に開示された通風レジスター装置の場合では、操作つまみ１６ｄを長孔１１ｅに沿ってスライドさせる開閉動作時に、その長孔１１ｅの内側端部に操作つまみ１６ｄが当接する際に、また、溝カム１７の溝１７ａの両端部にカムフォロワ１７ｄが当接する際に、それぞれ干渉音が同時に発生する。
また、開閉作動板１３の旋回中に、その開閉作動板１３と他の部品とが擦れ合う場合にも、干渉音が発生する。
【０００７】
このように当接箇所が複数存在すると、その干渉音が重なり合い、全体としてはかなり大きくなり得る。干渉音が必要以上に大きい場合、特に金属部品同士による高音の干渉音の場合には、使用者（例えば居住者）等にとって耳障りであり、日常生活において開閉操作ごとに不快の念を生じさせてしまうデメリットがあるので、極力、干渉音を低減させることが望ましい。
【０００８】
本発明は、上述のような課題を解決するためになされたもので、通風部の開閉操作時における部品同士の接触を回避して、使用者等にとって不快な干渉音を低減させることができる通風レジスター装置を提供することを目的とする。
【課題を解決するための手段】
【０００９】
上記課題を解決するために、本発明に係る通風レジスター装置は、平坦面を有する主壁部と該主壁部に形成された通風部を有する本体と、該本体に設けられた支持部に旋回可能に支持されて前記通風部を開閉する開閉板と、該開閉板の開閉動作を操作するための操作機構を有し、該操作機構は、前記本体の前記主壁部にその長手方向に沿って形成されたスライド溝と、該スライド溝に沿って往復移動可能であり、かつ、前記本体の前記主壁部の前記平坦面を摺動するスライド板と、該スライド板に装着され、かつ、前記スライド溝を介して前記本体の前記主壁部から突出する操作ツマミと、前記スライド板に一体に設けられ、かつ、前記開閉板の先端部の旋回軌跡に沿って湾曲するように形成されるとともに、前記スライド板の往復移動に伴って前記本体の長手方向に沿って往復移動するカム部と、前記開閉板の前記先端部に取り付けられ、かつ、前記カム部の往復移動に伴って該カム部のカム溝を往復移動して前記開閉板を開閉させるカムフォロワを備えてなる、通風レジスター装置において、
前記本体には、前記スライド板の往復移動範囲を規制する第１の緩衝材が配設され、前記スライド溝には、前記第１の緩衝材によって規制された前記スライド板の往復移動範囲に対応する前記操作ツマミの往復移動範囲の外側に第１の溝延長領域が形成され、また、前記カム溝には、前記第１の緩衝材によって規制された前記スライド板の往復移動範囲に対応する前記カムフォロワの往復移動範囲の外側に第２の溝延長領域が形成されていることを特徴とするものである。
【００１０】
本発明に係る通風レジスター装置では、前記本体が、前記主壁部の長手方向の両端縁を折り曲げて互いに対向するように形成された一対の側壁部をさらに有し、前記支持部が、前記側壁部の一方の近傍に配設されており、該一方の側壁部には、該一方の側壁部と該一方の側壁部の近傍で旋回する前記開閉板の基部との接触を規制する第２の緩衝材を配設することが可能である。
【００１１】
本発明に係る通風レジスター装置は、前記操作ツマミ及び／又は該操作ツマミに装着される部品は、前記操作ツマミがその往復移動範囲の両端に移動した際に、前記スライド溝の前記第１の溝延長領域を覆うように構成することができる。
【発明の効果】
【００１２】
本発明に係る通風レジスター装置によれば、本体にスライド板の往復移動範囲を規制する第１の緩衝材を配設し、スライド溝には、スライド板の往復移動範囲に対応する操作ツマミの往復移動範囲の外側に第１の溝延長領域を形成して、カム溝には、スライド板の往復移動範囲に対応するカムフォロワの往復移動範囲の外側に第２の溝延長領域を形成したので、スライド板が第１の緩衝材に当接しても、なお、操作ツマミがスライド溝内を移動したとしても、スライド溝の両端部と操作ツマミとの接触を回避できる。また、スライド板が第１の緩衝材に当接しても、なお、カムフォロワがカム溝内を移動したとしても、カム溝の両端部とカムフォロワとの接触を回避できる。よって、当該各接触によって発生し得る干渉音を低減させることができる。
【００１３】
本発明に係る通風レジスター装置によれば、本体に設けられた一対の側壁部のうち、一方の側壁部の近傍に支持部を配設し、当該一方の側壁部に第２の緩衝材を配設したので、当該一方の側壁部と当該一方の側壁部の近傍で旋回する開閉板の基部との接触を回避できることから、当該接触によって発生し得る干渉音を低減することができる。
【００１４】
本発明に係る通風レジスター装置によれば、操作ツマミ及び／又は該操作ツマミに装着される部品を、操作ツマミがその往復移動範囲の端部に移動した際に、スライド溝の第１の溝延長領域を覆うように構成したので、その第１の溝延長領域を隠すことができることから、室内から見た一定の外観を維持することができる。
このとき、操作ツマミがその往復移動範囲の端部に移動してもなお第１の溝延長領域が見えてしまうことが防止されるため、使用者が操作ツマミの移動不足等を疑うことも併せて回避することができる。
【図面の簡単な説明】
【００１５】
【図１】本発明の実施の形態１による通風レジスター装置全体の構成を示す正面図である。
【図２】図１におけるＡ−Ａ拡大断面図である。
【図３】図１に示した通風レジスター装置内の操作機構を示す裏面図である。
【図４】図３におけるＢ−Ｂ拡大断面図である。
【図５】図４におけるＣ−Ｃ拡大断面図であって、閉状態の開閉板及びカム部を示す断面図である。
【図６】図４におけるＣ−Ｃ拡大断面図であって、開状態の開閉板を示す断面図である。
【図７】図５における矢印Ｄ方向から見たカム部を示す正面図である。
【発明を実施するための形態】
【００１６】
実施の形態１．
この実施の形態１による通風レジスター装置１は、図１、及び図３〜図６に示すように、複数の貫通孔からなる通風部１１が設けられた本体１０と、前記通風部１１を開閉する開閉板１２と、この開閉板１２の開閉動作を操作するための操作機構１３とから概略構成されている。
【００１７】
本体１０は、図５及び図６に示すように、開口部を備えた、中空の断面略矩形状の長尺部材である。これは、通風レジスター装置１が設置されるドア等により仕切られる部屋の内部側となる前壁部１４（主壁部）と、この前壁部１４の長手方向の両端縁を後方へ直角に折り曲げて互いに対向するように形成された一対の側壁部１５と、これら一対の側壁部１５をさらに直角に折り曲げて上記前壁部１４に対して平行となるように形成された後壁部１６とから概略構成されている。
【００１８】
前壁部１４の後面は、図４に示すように、後述のスライド板１７が摺動するための平坦面１４ａとなっており、この平坦面１４ａ上には、図５に示すように、スライド板１７を円滑に摺動させるための摺動シート１８が配設されている。また、前壁部１４には、側壁部１５の一方側の領域に、図１に示すように、その長手方向に沿って一定の間隔をもって、複数の小窓からなる上述の通風部１１が形成されるとともに、この通風部１１が形成されていない側、すなわち、他方側の側壁部１５の領域の中央部に、その長手方向に沿って後述のスライド溝１９が形成されている。
【００１９】
また、本体１０の一方の側壁部１５の内面１５ａであって、本体１０の長手方向の両端部の位置には、図３、図５及び図６に示すように、開閉板１２の上下両端部を旋回可能に支持する支持部２０、２０がそれぞれ配設されている。各支持部２０は、図３に示すように、段付きの円柱体であって、大径部２０ａと小径部２０ｂを備えている。大径部２０ａが当該一方の側壁部１５の内面１５ａに溶接等により固着されていることから、小径部２０ｂは、図５及び図６に示すように、当該一方の側壁部１５の内面１５ａ及び前壁部１４の平坦面１４ａから僅かな隙間をもって離間している。
さらに、本体１０の後壁部１６には、スライド板１７を配設するための後面開口部１６ａが形成されている。
【００２０】
開閉板１２は、図５及び図６に示すように、上記複数の通風部１１を覆う長尺の板体を、その長手方向の両端縁に沿って折り曲げて形成した断面コ字状の部材であって、これら両折り曲げ部分のうち、支持部２０から離れた一方の折り曲げ部分が先端部１２ａを構成し、また、支持部２０近傍の他方の折り曲げ部分が基部１２ｂを構成している。開閉板１２の上下両端側の基部１２ｂの内側には、それぞれ、支持部２０の小径部２０ｂが固定されている。また、開閉板１２の表面には、その開閉板１２の閉鎖時に、本体１０の通風部１１を通じた空気の流入を阻止するための気密シート２１が取り付けられている。さらに、開閉板１２の先端部１２ａには、図５に示すように、後述のカムフォロワ２２が取り付けられている。
【００２１】
支持部２０が配設された前記内面１５ａには、開閉板１２が旋回する際に、開閉板１２の基部１２ｂの旋回動作による摺動を受けて、内面１５ａと開閉板１２の基部１２ｂとの接触を規制する旋回動作緩衝材２３（第２の緩衝材）が配設されている。この旋回動作緩衝材２３は、開閉板１２とこれを支持する支持部２０との間に僅かに存在する「遊び」によって開閉板１２の基部１２ｂの旋回軌跡が変位した場合に生じ得る、基部１２ｂと上記内面１５ａとの直接的な干渉を回避するための部材である。ここで、旋回動作緩衝材２３が基部１２ｂの摺動を妨げると、開閉体１２が円滑に開閉しなくなり、望ましくない。このため、旋回動作緩衝材２３は、基部１２ｂの摺動を受けた際に、その衝撃を吸収するものであり、その摺動を妨げない程度に、適度に変形する材料からなる。したがって、旋回動作緩衝材２３の構成材料としては、ゴム、発泡ウレタン等の合成樹脂などの周知の弾性体から適宜選択される。このとき、必要に応じて、旋回動作緩衝材２３の少なくとも表面を、摺動に対する抵抗が少ない材料で被覆してもよい。
【００２２】
旋回動作緩衝材２３の配設位置は、特に限定されるものではなく、任意である。例えば、上記内面１５ａのうち、支持部２０の近傍位置、あるいは、これらに加えてその中間位置に配設されてもよく、また、当該内面１５ａの全面に配設されてもよく、あるいは、複数の旋回動作緩衝材２３が上記内面１５ａに点在するように配設されてもよい。
さらに、旋回動作緩衝材２３の厚さは、旋回動作緩衝材２３の構成材料に応じて異なるが、どのような材料で構成した場合でも、開閉板１２の閉状態において、旋回動作緩衝材２３の表面が、開閉板１２の基部１２ｂと接触しない範囲で、適宜設定される。なお、基部１２ｂを円滑に摺動させるために、必要に応じて、旋回動作緩衝材２３の表面を、基部１２ｂの旋回軌跡に沿って湾曲した凹面としてもよい。
【００２３】
また、図５及び図６に示すように、本体１０の前壁部１４及び両側壁部１５の外面には、これらの外面を覆う化粧板２４が配設されている。この化粧板２４には、本体１０に形成された通風部１１に対応する位置に複数の通風口２４ａが形成され、スライド溝１９に対応する位置に長孔２４ｂが形成されている。また、本体１０と化粧板２４との間には、通風部１１及び通風口２４ａを介して虫等の侵入を防止するためのネット２５が配設されている。
【００２４】
操作機構１３は、図１〜図７に示すように、本体１０に形成された上記スライド溝１９と、このスライド溝１９に沿って往復移動可能であり、かつ、本体１０の前壁部１４の平坦面１４ａを摺動する上記スライド板１７と、このスライド板１７を本体１０の長手方向に沿って案内するガイド板２６と、当該スライド板１７に装着され、かつ、スライド溝１９を介して本体１０の前壁部１４から突出する操作ツマミ２７と、当該スライド板１７に一体に設けられ、かつ、開閉板１２の先端部１２ａの旋回軌跡に沿って湾曲するように形成されるとともに、スライド板１７の往復移動に伴って本体１０の長手方向に沿って往復移動するカム部２８と、開閉板１２の先端部１２ａに取り付けられ、かつ、カム部２８の往復移動に伴ってカム部２８のカム溝２９を往復移動して開閉板１２を開閉させる上記カムフォロワ２２とから概略構成されている。
【００２５】
スライド溝１９の両端部には、図２に示すように、後述のスライド板１７の往復移動範囲に対応する操作ツマミ２７の往復移動範囲Ｘの外側にそれぞれスライド溝延長領域３０（第１の溝延長領域）が形成されている。これらのスライド溝延長領域３０により、操作ツマミ２７がスライド溝１９を往復移動する際に、スライド溝１９の両端部への操作ツマミ２７の当接を回避できる。また、操作ツマミ２７の下側には、ワッシャ３１が取り付けられており、このワッシャ３１は、操作ツマミ２７がその往復移動範囲Ｘの端部に移動した際に、スライド溝延長領域３０を覆うことができる程度の外径を有している。このようにスライド溝延長領域３０を覆って隠すことで、室内から見た一定の外観を維持することができるとともに、操作ツマミ２７がその往復移動範囲Ｘの端部に移動してもなおスライド溝延長領域３０が見えてしまうために、使用者が操作ツマミ２７の移動不足等を疑うというような不快の念を生じさせることも併せて回避することができる。
【００２６】
ガイド板２６は、図４に示すように、本体１０の側壁部１５に沿う第１平板部２６ａと、この第１平板部２６ａの一方の側縁を直角に折り曲げて形成し、かつ、本体１０の前壁部１４の平坦面１４ａに対向する第２平板部２６ｂと、第１平板部２６ａの他方の側縁を直角に折り曲げて形成したレール部２６ｃを備えている。
なお、操作ツマミ２７のスライド操作によるスライド板１７のガイド板２６上でのスライド動作時に、円滑な動作が得られるように、ガイド板２６側を適宜、微少に変位可能にするため、ガイド板２６の第１平板部２６ａと本体１０の側壁部１５との間には、弱い圧縮ばねなどの弾性体（図示せず）が介在してフローティング構造を形成している。
【００２７】
また、ガイド板２６の第２平板部２６ｂの上部には、温度ヒューズ３２の下端がネジ３３によって固定されており、その温度ヒューズ３２の上端は、本体１０の前壁部１４に立設された柱部３４上にピン３５によって取り付けられている。また、第２平板部２６ｂの下部には、引張コイルばね３６の上端が固定され、その引張コイルばね３６の下端は、本体１０に取り付けられている。このような構成により、ガイド板２６は、引張コイルばね３６によって常に下方に付勢され、かつ、本体１０に対して温度ヒューズ３２を介して取り付けられているので、その温度ヒューズ３２によって付勢力による移動範囲が制限されている。
【００２８】
スライド板１７は、図４に示すように、本体１０の平坦面１４ａ上を摺動する平板部１７ａと、この平板部１７の上下端を折り曲げて互いに対向するように形成された一対の折り曲げ部１７ｂを備え、この折り曲げ部１７ｂに形成された凹所（図示せず）が上記ガイド板２６のレール部２６ｃに嵌まり込んで案内されながら、本体１０の長手方向に沿ってスライドできるように構成されている。
【００２９】
スライド板１７には、カム部２８が一体に形成されている。このカム部２８は、例えば図５に示すように、スライド板１７の一部を、開閉板１２の先端部１２ａの旋回軌跡に沿って円弧状に湾曲させた曲面部分に、カム溝２９を形成した構成を有している。このカム溝２９は、例えば図７に示すように、下方へ行くほど本体１０の平坦面１４ａから遠ざかる向きに傾斜した傾斜部分の上下両端部に、本体１０の長手方向に沿った平行部分をそれぞれ設けた形状を有している。このようなカム溝２９内には、開閉板１２の先端部１２ａに取り付けられたカムフォロワ２２が嵌まり込んでいる。また、カム溝２９の両平行部分には、カムフォロワ２２の往復移動範囲Ｙの外側にそれぞれカム溝延長領域３７（第２の溝延長領域）が形成されている。これらのカム溝延長領域３７により、カムフォロワ２２がカム溝２９を往復移動する際に、カム溝２９の両端部へのカムフォロワ２２の当接を回避できる。
【００３０】
カムフォロワ２２は、開閉板１２の先端部１２ａに装着された軸部２２ａと、この軸部２２ａの先端に取り付けられ、かつ、カム溝２９内に嵌まり込んで回転する回転体（図示せず）を備えており、その回転体（図示せず）は、複数のボールベアリング（図示せず）によって円滑に回転できるように構成されている。
【００３１】
また、本体１０の前壁部１４の平坦面１４ａ上には、図４に示すように、スライド板１７の往復移動範囲Ｚを規制する一対のスライド動作緩衝材３８（第１の緩衝材）が配設されている。本実施形態では、上側のスライド動作緩衝材３８が温度ヒューズ３２の下端を固定するネジ３３の下位置に配設され、下側のスライド動作緩衝材３８が引張コイルばね３６の上端位置の近傍に配設されている。スライド板１７の往復移動時に、スライド板１７の折り曲げ部１７ｂがスライド動作緩衝材３８に当接することによって、スライド板の往復移動が規制される。このようなスライド動作緩衝材３８の構成材料としては、スライド板１７との当接時に受ける衝撃を吸収するために、ゴム、発泡ウレタン等の合成樹脂、バネ等の周知の弾性体、あるいは、衝撃吸収用バッグなどから適宜選択される。衝撃吸収用バッグとしては、例えば、空気等の気体、オイル等の液体あるいは発泡ウレタン等の合成樹脂製粒子などを気密性の高い袋に封入したバッグなどを好適に用いることができる。
なお、一対のスライド動作緩衝材３８のうち、上側のスライド動作緩衝材３８は、温度ヒューズ３２の下端を固定するネジ３３が後述するように火災時に引張コイルばね３６によって下方へ移動する際に、そのネジ３３の下方移動を妨げない位置に配設されていることが望ましい。
【００３２】
一対のスライド動作緩衝材３８によって規制されるスライド板１７の往復移動範囲Ｚは、上述したように、スライド溝１９内における操作ツマミ２７の往復移動範囲Ｘ及びカム溝２９内におけるカムフォロワ２２の往復移動範囲Ｙをそれぞれ規制するものであるので、スライド板１７の往復移動範囲Ｚを調整することによって、他の往復移動範囲Ｘ及びＹを調整することが可能である。
【００３３】
次に動作について説明する。
まず、図１〜５及び図７に示す開閉板１２の「閉」状態において、図１に示す操作ツマミ２７を上方（図２では左方向）へスライド操作すると、スライド板１７とこれに一体に形成されたカム部２８が上方へ移動する。この上方移動に伴って、カム部２８のカム溝２９に嵌まり込んでいるカムフォロワ２２が本体１０の平坦面１４ａから離れる方向（図７ではカム溝２９の傾斜部分を上方）へ移動するため、このカムフォロワ２２とともに開閉板１２が支持部２０を中心として旋回して、「閉」状態（図５）から「開」状態（図６）へ移行する。
【００３４】
この移行時においては、図６に示すように、開閉板１２の基部１２ｂが旋回動作緩衝材２３に接触し、その表面上を摺動しながら旋回するので、基部１２ｂとこの近傍の本体１０の側壁部１５の内面１５ａとの接触が回避される。このため、当該接触による干渉音が低減される。
【００３５】
また、スライド板１７の上方移動は、図４に示すように、上側のスライド動作緩衝材３８によって規制されるので、スライド溝１９内における操作ツマミ２７の上方移動及びカム溝２９内におけるカムフォロワ２２の上方移動も規制される。このため、スライド溝１９の上端部と操作ツマミ２７との当接と、カム溝２９の上端部とカムフォロワ２２との当接が回避されるので、当該当接による干渉音が低減される。
【００３６】
逆に、操作ツマミ２７を下方（図２では右方向）へスライド操作すると、スライド板１７とこれに一体に形成されたカム部２８が下方へ移動する。この下方移動に伴って、カム部２８のカム溝２９に嵌まり込んでいるカムフォロワ２２が本体１０の平坦面１４ａに接近する方向（図７ではカム溝２９の傾斜部分を下方）へ移動するため、このカムフォロワ２２とともに開閉板１２が支持部２０を中心として旋回して、「開」状態（図６）から「閉」状態（図５）へ移行する。
【００３７】
この移行時においても、図６に示すように、開閉板１２の基部１２ｂが旋回動作緩衝材２３の表面上を摺動しながら旋回するので、基部１２ｂとこの近傍の本体１０の側壁部１５の内面１５ａとの接触が回避される。このため、当該接触による干渉音が低減される。
【００３８】
また、スライド板１７の下方移動は、図４に示すように、下側のスライド動作緩衝材３８によって規制されるので、スライド溝１９内における操作ツマミ２７の下方移動及びカム溝２９内におけるカムフォロワ２２の下方移動も規制される。このため、スライド溝１９の下端部と操作ツマミ２７との当接と、カム溝２９の下端部とカムフォロワ２２との当接が回避されるので、当該当接による干渉音が低減される。
【００３９】
なお、火災等により環境温度が上昇したときに、その熱により温度ヒューズ３２が溶断され、ガイド板２６の本体１０に対する移動の制約が解除される結果、ガイド板２６が引張コイルばね３６によって下方に付勢されて移動する。このガイド板２６の下方移動時においては、そのガイド板２６の上端部において温度ヒューズ３２を固定し、先端が本体１０の平坦面１４ａ側へ突出しているネジ３３がスライド板１７の上側の折り曲げ部１７ｂに当接して、スライド板１７をも同時に強制的に下降させる。これにより、火災等によって温度ヒューズ３２が溶断されたときは、開閉板１２は、その時点での開閉状態にかかわらず、常に、通風部１１を閉じるように旋回する。
【００４０】
このような非常時においても、スライド板１７の往復移動範囲Ｚを規制する一対のスライド動作緩衝材３８のうち、特に上側のスライド動作緩衝材３８は、上記ネジ３３の下方移動を妨げない位置に配設されているので、緊急閉鎖動作を円滑に行うことが可能である。
【００４１】
以上のように、本実施形態によれば、本体１０にスライド板１７の往復移動範囲Ｚを規制するスライド動作緩衝材３８（第１の緩衝材）を配設し、スライド溝１９には、スライド板１７の往復移動範囲Ｚに対応する操作ツマミ２７の往復移動範囲Ｘの外側にスライド溝延長領域３０（第１の溝延長領域）を形成し、カム溝２９には、スライド板１７の往復移動範囲Ｚに対応するカムフォロワ２２の往復移動範囲Ｙの外側にカム溝延長領域３７（第２の溝延長領域）を形成したので、スライド板１７がスライド動作緩衝材３８に当接してもなお、操作ツマミ２７がスライド溝１９内を移動したとしても、スライド溝１９の両端部と操作ツマミ２７との接触を回避できるとともに、スライド板１７がスライド動作緩衝材３８に当接しても、なお、カムフォロワ２２がカム溝２９内を移動したとしても、カム溝２９の両端部とカムフォロワ２２との接触を回避できることから、当該各接触によって発生し得る干渉音を低減することができる。
また、スライド動作緩衝材３８を、使用者等からは見えない本体１０内に配設したので、通風レジスター装置１としての一定の外観を維持することができる。
さらに、スライド動作緩衝材３８は、本体１０によって悪戯や外部環境の影響による劣化から保護され得るので、長期間にわたり、その緩衝作用を維持することが可能である。
【００４２】
本実施形態によれば、本体１０に設けられた一対の側壁部１５のうち、一方の側壁部１５の近傍に支持部２０を配設し、当該一方の側壁部１５に旋回動作緩衝材２３（第２の緩衝材）を配設したので、当該一方の側壁部１５と当該一方の側壁部１５の近傍で旋回する開閉板１２の基部１２ｂとの接触を回避できることから、当該接触によって発生し得る干渉音を低減することができる。
また、旋回動作緩衝材２３を、使用者等からは見えない本体１０内に配設したので、通風レジスター装置１としての一定の外観を維持することができる。
さらに、旋回動作緩衝材２３は、本体１０によって悪戯や外部環境の影響による劣化から保護され得るので、長期間にわたり、その緩衝作用を維持することが可能である。
【００４３】
本実施形態によれば、カムフォロワ２２の回転体（図示せず）をボールベアリング（図示せず）によって円滑に回転できるように構成したので、カムフォロワ２２がカム溝２９に沿って往復移動する際に、当該回転体（図示せず）によってカム溝２９との摩擦抵抗を少なくすることができることから、その往復移動による干渉音を低減することができる。
【００４４】
本実施形態によれば、操作ツマミ２７に装着される部品としてのワッシャ３１を、操作ツマミ２７がその往復移動範囲Ｘの端部に移動した際に、スライド溝１９のスライド溝延長領域３０（第１の溝延長領域）を覆うように構成したので、そのスライド溝延長領域３０を隠すことができることから、室内から見た一定の外観を維持することができるとともに、操作ツマミ２７がその往復移動範囲Ｘの端部に移動してもなおスライド溝延長領域３０が見えてしまうために、使用者が操作ツマミ２７の移動不足等を疑うというような不快の念を生じさせることも併せて回避することができる。
【００４５】
なお、本実施形態では、操作ツマミ２７に装着される部品としてのワッシャ３１により、スライド溝延長領域３０を覆い隠すように構成しているが、スライド溝延長領域３０を覆い隠すものであれば、他の部品あるいは操作ツマミ２７を用いてもよい。
【００４６】
また、本実施形態では、第１の緩衝材としてのスライド動作緩衝材３８を本体１０内に配設したが、第１の緩衝材を本体外に配設してもよい。この場合、例えば、スライド板１７に相当する部材を本体外に配設し、これを本体外の第１の緩衝材に当接させるように構成することで、あるいは、本体外の第１の緩衝材を操作ツマミ２７やワッシャ３１に当接させるように構成することで、上述のような第１の緩衝材による干渉音の低減効果を得ることができる。
【符号の説明】
【００４７】
１  通風レジスター装置、  １０  本体、  １１  通風部、  １２  開閉板、  
１２ａ  先端部、  １２ｂ  基部、  １３  操作機構、  １４  前壁部（主壁部）、  １４ａ  平坦面、  １５  側壁部、  １５ａ  内面、  １６  後壁部、  
１６ａ  後面開口部、  １７  スライド板、  １７ａ  平板部、  
１７ｂ  折り曲げ部、  １８  摺動シート、  １９  スライド溝、  ２０  支持部、  ２０ａ  大径部、  ２０ｂ  小径部、  ２１  気密シート、  ２２  カムフォロワ、  ２２ａ  軸部、  ２３  旋回動作緩衝材（第２の緩衝材）、  ２４  化粧板、  
２４ａ  通風口、  ２４ｂ  長孔、  ２５  ネット、  ２６  ガイド板、  
２６ａ  第１平板部、  ２６ｂ  第２平板部、  ２６ｃ  レール部、  
２７  操作ツマミ、  ２８  カム部、  ２９  カム溝、  
３０  スライド溝延長領域（第１の溝延長領域）、  ３１  ワッシャ、  
３２  温度ヒューズ、  ３３  ネジ、  ３４  柱部、  ３５  ピン、  
３６  引張コイルばね、  ３７  カム溝延長領域（第２の溝延長領域）、  
３８  スライド動作緩衝材（第１の緩衝材）、
Ｘ  操作ツマミ２７の往復移動範囲、  Ｙ  カムフォロワ２２の往復移動範囲、  
Ｚ  スライド板１７の往復移動範囲
【図１】
2014214434.tif 000003
【図２】
2014214434.tif 000004
【図３】
2014214434.tif 000005
【図４】
2014214434.tif 000006
【図５】
2014214434.tif 000007
【図６】
2014214434.tif 000008
【図７】
2014214434.tif 000009